(57)【要約】【課題】蒸気流体の電気駆動圧縮機を駆動する駆動装置の、特に電気モーターの絶縁装置を提供する。【解決手段】駆動装置は固定子コアと絶縁装置を備える固定子、及び回転子を含み、絶縁装置は共通の長さ方向軸に沿って固定子の第１端部面から第２端部面に延びる。固定子コアは巻き取られてコイルを形成するリ−ド線を収容するために円周に均一に分布した柵を含む。絶縁装置は少なくとも１つの第１絶縁要素、第２絶縁要素及び少なくとも１つの第３絶縁要素を含む。この場合、少なくとも１つの第１絶縁要素はそれぞれリ−ド線と固定子コア間に、それぞれ１つの第２絶縁要素は互いに隣接して配置されたコイル間に、形成された空間内に、そして少なくとも１つの第３絶縁要素は固定子の半径方向内部に向かった内部面上に、内部面を閉鎖するように配置される。【選択図】図１ａ
2020188678.tif 000002
【特許請求の範囲】
【請求項１】
蒸気流体の圧縮機を駆動するための駆動装置、特に電気モーターとして、固定子コア（２）と絶縁装置を備える固定子（１）、及び回転子を含み、前記絶縁装置は共通の長さ方向軸（５）に沿って前記固定子（１）の第１端部面（７）から第２端部面（８）に延び、前記固定子コア（２）は巻き取られてコイル（３）を形成するリ−ド線（９）を収容するために円周に均一に分布した柵を含み、前記絶縁装置は少なくとも１つの第１絶縁要素（４）、第２絶縁要素（１０）及び少なくとも１つの第３絶縁要素（１１）を含む、前記駆動装置において、
前記少なくとも１つの第１絶縁要素（４）はそれぞれ前記リ−ド線（９）と前記固定子コア（２）間に、配置され、
それぞれ１つの前記第２絶縁要素（１０）は互いに隣接して  配置されたコイル（３）間に形成された空間（１４）内に、配置され、
前記少なくとも１つの第３絶縁要素（１１）は前記固定子（１）の半径方向内部に向かった内部面上に、前記内部面を閉鎖するように配置されることを特徴とする駆動装置。
【請求項２】
前記柵の周りに形成された前記第１絶縁要素（４）を有する２つの互いに隣接して配置された柵間にそれぞれ形成された前記空間（１４）は半径方向内部に開放されており、前記空間（１４）は前記柵の端部面間の領域で最小の大きさを有することを特徴とする請求項１に記載の駆動装置。
【請求項３】
前記固定子（１）の前記第１端部面（７）、前記第２端部面（８）間に軸方向に連続して延びるそれぞれの前記第２絶縁要素（１０）は軸方向に延び、半径方向で整列された第１長さ方向面（１０ａ）及び第２長さ方向面（１０ｂ）を含むことを特徴とする請求項１に記載の駆動装置。
【請求項４】
それぞれの前記第２絶縁要素（１０）の前記第１長さ方向面（１０ａ）は半径方向外部に整列され、前記第１絶縁要素（４）上の前記空間（１４）のベース面に接触するように配置されることを特徴とする請求項３に記載の駆動装置。
【請求項５】
それぞれの前記第２絶縁要素（１０）の前記第２長さ方向面（１０ｂ）は半径方向内部に整列されて前記固定子コア（２）の前記柵の前記端部面の領域で、前記空間（１４）を軸方向で閉鎖するように、前記第１絶縁要素（４）に隣接して配置されることを特徴とする請求項３又は４に記載の駆動装置。
【請求項６】
それぞれの前記第２絶縁要素（１０）は長さ方向に対して垂直である断面から見る時、前記第１長さ方向面（１０ａ）の領域で、第１要部（１０ｄ）を限定する２つの第１柵（１０ｃ）を有するＵ型を有することを特徴とする請求項３〜５の何れか一項に記載の駆動装置。
【請求項７】
前記第２絶縁要素（１０）の２つの第１柵（１０ｃ）は軸方向で前記第１絶縁要素（４）に第１空洞部（１５）を形成するように接触することを特徴とする請求項６に記載の駆動装置。
【請求項８】
それぞれの前記第２絶縁要素（１０）は長さ方向に対して垂直である断面から見る時、前記第２長さ方向面（１０ｂ）の領域で第２要部（１０ｆ）を限定する２つの第２柵（１０ｅ）を有するＹ型を有することを特徴とする請求項３〜７の何れか一項に記載の駆動装置。
【請求項９】
前記第２絶縁要素（１０）の前記第２長さ方向面（１０ｂ）に対して整列された前記第２柵（１０ｅ）の自由端部に、それぞれ長さ方向で整列された溝（１０ｇ）が形成されることを特徴とする請求項８に記載の駆動装置。
【請求項１０】
それぞれの前記第２絶縁要素（１０）は長さ方向に対して垂直である断面から見る時、前記第２長さ方向面（１０ｂ）の領域で第２要部（１０ｆ）を限定する２つの第２柵（１０ｅ）を有するＵ型を有することを特徴とする請求項３〜７の何れか一項に記載の駆動装置。
【請求項１１】
前記少なくとも１つの第３絶縁要素（１１）は第１及び第２端部からそれぞれ円周方向に閉鎖されたリング（１１ｂ）を通じて互いに連結される、軸方向に延びるストラット（１１ａ）を有する円筒形ケージの形状を有することを特徴とする請求項１〜１０の何れか一項に記載の駆動装置。
【請求項１２】
前記第３絶縁要素（１１）は前記リング（１１ｂ）の領域で円周に均一に分布したリセス（１１ｅ）を含み、前記リセス（１１ｅ）はそれぞれ前記リング（１１ｂ）の外部面に形成されることを特徴とする請求項１１に記載の駆動装置。
【請求項１３】
前記リセス（１１ｅ）はそれぞれ軸方向に配置された前記ストラット（１１ａ）の延長部内に形成されることを特徴とする請求項１２に記載の駆動装置。
【請求項１４】
前記第２絶縁要素（１０）はそれぞれ前記第３絶縁要素（１１）の前記リセス（１１ｅ）及び前記ストラット（１１ａ）の領域で前記第３絶縁要素（１１）に接触するように配置されることを特徴とする請求項１２又は１３に記載の駆動装置。
【請求項１５】
前記第２絶縁要素（１０）の第２長さ方向面（１０ｂ）は軸方向で前記第３絶縁要素（１１）のストラット（１１ａ）に、そして前記第２絶縁要素（１０）の第２柵（１０ｅ）の溝（１０ｇ）が前記第３絶縁要素（１１）上のリング（１１ｂ）の前記リセス（１１ｅ）の肩部（１１ｆ）に第２空洞部（１６）を形成するように接触することを特徴とする請求項１３又は１４に記載の駆動装置。
【請求項１６】
前記第２絶縁要素（１０）の第２長さ方向面（１０ｂ）は軸方向で前記第３絶縁要素（１１）のストラット（１１ａ）に、そして前記第２絶縁要素（１０）の第２柵（１０ｅ）の溝（１０ｇ）が前記第３絶縁要素（１１）上のリング（１１ｂ）の前記リセス（１１ｅ）のベース面に第２空洞部（１６）を形成するように接触することを特徴とする請求項１３又は１４に記載の駆動装置。
【請求項１７】
前記第２絶縁要素（１０）と前記第３絶縁要素（１１）間でそれぞれ前記第２絶縁要素（１０）の前記第２柵（１０ｅ）及び前記第３絶縁要素（１１）の前記ストラット（１１ａ）により、そして前記第３絶縁要素（１１）の前記リング（１１ｂ）の領域で前記リセス（１１ｅ）上に前記リング（１１ｂ）の壁により形成された前記第２空洞部（１６）は完全に閉鎖されることを特徴とする請求項１５又は１６に記載の駆動装置。
【請求項１８】
前記第１絶縁要素（４）は少なくとも前記固定子（１）の前記第１端部面（７）、前記第２端部面（８）で前記固定子コア（２）を過ぎて突出するように形成され、
前記固定子（１）の前記第１端部面（７）、前記第２端部面（８）から軸方向に、前記固定子コア（２）から突出した前記第１絶縁要素（４）の領域（４ａ、４ｂ）はカバー要素（６）に連結するための実質的にシリンダー型である壁として形成されることを特徴とする請求項１〜１７の何れか一項に記載の駆動装置。
【請求項１９】
前記カバー要素（６）は軸方向に整列された第１リング面（６ａ）、半径方向で整列されたリング面（６ｂ）及び軸方向に整列された第２リング面（６ｃ）を有する円周方向で閉鎖されたリングとして形成されることを特徴とする請求項１８に記載の駆動装置。
【請求項２０】
前記カバー要素（６）の外部半径に形成された軸方向の前記第１リング面（６ａ）と前記カバー要素（６）の内部半径に形成された軸方向の前記第２リング面（６ｃ）は互いに平行するように整列されて、半径方向の前記リング面（６ｂ）を通じて互いに連結されることを特徴とする請求項１９に記載の駆動装置。
【請求項２１】
前記カバー要素（６）の前記軸方向に整列された第２リング面（６ｃ）はそれぞれ１つの前記第２絶縁要素（１０）をホールディングするために円周に均一に分布した収容要素（１３）を有する内壁として形成されることを特徴とする請求項１８又は１９に記載の駆動装置。
【請求項２２】
前記収容要素（１３）は前記軸方向に整列された第２リング面（６ｃ）内部に開口として形成されることを特徴とする請求項２１に記載の駆動装置。
【請求項２３】
前記収容要素（１３）は前記軸方向に整列された第２リング面（６ｃ）から半径方向内部に突出した第１壁（１３ａ）及び１つの第２壁（１３ｂ）を含むことを特徴とする請求項２１又は２２に記載の駆動装置。
【請求項２４】
前記収容要素（１３）の開口は前記軸方向に整列された第２リング面（６ｃ）から半径方向内部に突出した第１壁（１３ａ）及び１つの第２壁（１３ｂ）を含むことを特徴とする請求項２２又は２３に記載の駆動装置。
【請求項２５】
前記第１壁（１３ａ）、前記第２壁（１３ｂ）はＵ型の断面を有し、前記第１壁（１３ａ）は前記Ｕ型のレグ（ｌｅｇ）として軸方向で、そして前記第２壁（１３ｂ）は前記第１壁（１３ａ）を連結するように前記カバー要素（６）の円周方向で整列されて配置されることを特徴とする請求項２３又は２４に記載の駆動装置。
【請求項２６】
前記第２絶縁要素（１０）は前記固定子（１）の前記第１端部面（７）に向かって軸方向に整列された第１長さ方向面（１０ａ）に形成された領域でそれぞれ前記第１壁（１３ａ）、前記第２壁（１３ｂ）により形成されたＵ型内に突出するように配置されることを特徴とする請求項２５に記載の駆動装置。
【請求項２７】
前記第２絶縁要素（１０）は前記収容要素（１３）の内部から第１柵（１０ｃ）の外部面に、前記収容要素（１３）の前記第１壁（１３ａ）の内部面に面接触するように配置され、前記第２絶縁要素（１０）は前記収容要素（１３）の内部に挿入されることを特徴とする請求項２６に記載の駆動装置。
【発明の詳細な説明】
【技術分野】
【０００１】
本発明は蒸気流体、特に冷媒を圧縮するための圧縮機の駆動装置、特に電気モーターに関するものである。圧縮機は自動車の空調システムの冷媒回路に用いられる。前記駆動装置は共通の長さ方向軸に沿って延びる絶縁装置を備える固定子及び回転子を含む。絶縁装置は少なくとも１つの第１絶縁要素、第２絶縁要素及び少なくとも１つの第３絶縁要素を含む。
【背景技術】
【０００２】
モバイルアプリケーションで、特に自動車の空調システムで冷媒回路を通じて冷媒を送出するための、冷媒圧縮機ともされる、従来技術に公知となった圧縮機は冷媒と関係なくたびたび可変容量型ピストン圧縮機として又はスクロール圧縮機として設計される。この場合、圧縮機はプーリーを通じて又は電気で駆動される。
【０００３】
電気駆動圧縮機はそれぞれの圧縮メカニズムを駆動するための電気モーターと共に電気モーターを駆動するためのインバータを含む。インバータは車両バッテリーの直流を交流に変換する役割をし、前記交流は電気接続部により電気モーターに供給される。
【０００４】
電気駆動圧縮機の従来の電気モーターはコイルが配置された環形固定子コア及び回転子を含み、前記回転子は固定子コア内部に配置される。回転子及び固定子は共通対称軸又は回転子の回転軸上に整列され、追加要素を有するハウジングにより囲まれて配置される。一方では自動車内部の設置空間を減らし、他方では固定子をハウジング内に固定するために、電気モーターの部品間の、特に固定子とハウジング間の距離は非常に小さい。
【０００５】
インバータは電気モーターの接続部に電気的連結のために別途の部品及びピンとして形成されたコネクター用プラグ接続部を含み、前記プラグ接続部は固定子コイルのリ−ド線の接続ラインに電気接続される。接続ラインは固定子コアの端部面上に案内されて配置され、それにより固定子コアを少なくとも部分的に囲み、モーターハウジングに対する固定子絶縁体により覆われない。
【０００６】
例えばリ−ド線の接続ライン間の高い絶縁抵抗及び電気接続を同時に保障するために、位相導体ともいうリ−ド線又は接続ラインは互いからそして固定子及びモーターハウジングの他の電気伝導性部品から電気絶縁されなければならない。
【０００７】
また、電圧レベルによって、例えば極小さな沿面距離及びエアーギャップによる短絡を避けるために、電気伝導性部品の間の十分な絶縁距離が保障されなければならない。絶縁体は製造工程に基づいて絶縁抵抗を顕著に減少させる欠陥又は特にピンホール（ｐｉｎｈｏｌｅ）ともいう多孔性を有することができるので、特にハウジングの部品に対する電気フラッシュオーバーのリスクが高まる。塗装された銅ワイヤーの品質によって、単位距離当たりの特定最大欠陥数が許容される。それぞれ１つの欠陥を有する２つの銅ワイヤーが並べて配置されて欠陥が直接対向して又は少なくとも互いに近く位置すれば、銅ワイヤー間の電気フラッシュオーバーのリスクが非常に高くなる。
【０００８】
したがって、特に高電圧範囲での作動、例えば最大１，０００Ｖの作動により、電気駆動圧縮機における要件は非常に高い。国際標準は例えば、提示された電圧範囲で２つのリ−ド線間の、又は周囲の電気伝導性部品に対する沿面距離及びエアーギャップが少なくとも１０ｍｍ乃至１４ｍｍであることを要求する。２コイル間の最も短いエアーギャップが一般的に約４ｍｍであり、最も短い沿面距離が一般的に約５ｍｍである、約４００Ｖの最大電圧（略称ＥＨＶ；「ｅｘｔｒａ  ｈｉｇｈ  ｖｏｌｔａｇｅ」）に対する最先端電気モーターで、空調アプリケーションのための気密式電気モーター用最大１，０００Ｖの超高圧（略称ＵＨＶ；「ｕｌｔｒａ  ｈｉｇｈ  ｖｏｌｔａｇｅ」）に用いるための絶縁システムは自動車産業の最大挑戦課題である。例えば、２つの部品を簡単に互いに加圧することにより、漏洩電流流れのための可能な流れ経路が除去されない。整列された、そして隣接した部品間には常に電流流れのためのギャップが残っている。
【０００９】
従来技術では、巻き取られてコイルを形成するリ−ド線、リ−ド線の接続ラインと電気伝導性固定子コア間に絶縁体を提供することが公知となっている。また、巻き取られたリ−ド線は連結ラインの巻取方式によってリ−ド線の端部と１つの位相のコイル間にそれぞれ予め決まった方式で案内されて配置されなければならない。
【００１０】
ＷＯ  ２０１５  １４６６７７  Ａ１には、圧縮装置、前記圧縮装置を駆動するための電気モーター、及び前記電気モーターに電圧を供給するためのインバータを備える電気駆動圧縮機が開示されている。電気モーターは固定子コアの軸方向に形成された端部にそれぞれ配置された電気絶縁コイル本体を備える固定子、回転子、及び前記コイル本体に配置されたコイルを含む。コイルはそれぞれ固定子コアの半径方向内部に延びる領域及び固定子コアの端部に配置されたコイル本体周囲に巻き取られたリ−ド線で形成される。
【００１１】
この場合、固定子絶縁のために多様な部品が用いられる。柵として形成されて外壁の円周にわたって均一に半径方向内部に延びる固定子コアの領域とコイル間にはそれぞれ個別絶縁体が提供される。また、それぞれ隣接するように配置されたコイル間に、又は巻き取られてコイルを形成するリ−ド線間に絶縁紙又はフィルムとして形成された絶縁体がそれぞれ配置される。
【００１２】
また、電気駆動圧縮機の従来技術に属する電気モーターの場合、必要な絶縁距離を達成するために、リ−ド線の接続ラインと圧縮機の他の電気伝導性部品間に十分に大きな間隔が提供される。この場合、モーター及びそれにより電気駆動圧縮機に対する大きな設置空間が要求される。
【発明の概要】
【発明が解決しようとする課題】
【００１３】
本発明の課題は蒸気流体の電気駆動圧縮機を駆動する駆動装置の、特に電気モーターの絶縁装置を提供して改善することである。前記駆動装置により少なくとも１，０００Ｖまでの電圧レベルでも絶縁調整に対する該要件が保障されなければならない。特に、コイルのリ−ド線が互いに、又はリ−ド線の接続ラインが互いに、そしてそれぞれ周囲に配置された電気伝導性部品に対して電気絶縁されなければならない。絶縁装置及びそれにより駆動装置は簡単な方式で、そしてそれにより時間削減方式で組み立てられる必要があり、可能なかぎり少ない数の個別部品と構成要素を含む必要があり、例えば重量及び必要空間、そして製造コストを最小化するために構造的に簡単に具現する必要がある。
【課題を解決するための手段】
【００１４】
上記課題は独立請求項の特徴を含む対象により解決される。改善例は従属請求項に提示する。
【００１５】
上記課題は蒸気流体の圧縮機を駆動するための本発明による駆動装置、特に電気モーターにより解決される。駆動装置は固定子コア及び絶縁装置を備える固定子と回転子を含み、前記絶縁装置は共通の長さ方向軸に沿って固定子の第１端部面から第２端部面に延びる。前記固定子コアは巻き取られてコイルを形成するリ−ド線を収容するために円周に均一に分布した柵を含み、前記柵は特に固定子コアの外壁の内部面に分布する。絶縁装置は少なくとも１つの第１絶縁要素、第２絶縁要素及び少なくとも１つの第３絶縁要素を含む。
【００１６】
リ−ド線はコイルの領域で好ましくは塗装されて巻き取られた銅ワイヤーで形成されて、リ−ド線の磁気的に非活性である部分及び接続ラインとしてリ−ド線の巻き取られていない端部はそれぞれの巻き線の外に案内される。例えば、同じ位相のコイルを接続及び連結するための連結ラインとして用いられる、接続ラインの第１部分はコイルの領域でリ−ド線と類似に単に塗装されて形成される一方、例えば電気モーターの接続部に電気的連結のために構成された、接続ラインの第２部分は好ましくはプラスチックで被覆されて絶縁される。
【００１７】
本発明の概念によれば、少なくとも１つの第１絶縁要素はそれぞれ特に巻き取られてコイルを形成するリ−ド線と固定子コア間に、それぞれ１つの第２絶縁要素は互いに隣接して配置されたコイル間に形成された空間内に、そして少なくとも１つの第３絶縁要素は固定子の半径方向内部に向かった内部面上に、前記内部面を閉鎖するように配置される。
【００１８】
本発明の改善例によれば、柵周りに形成された第１絶縁要素を有する２つの互いに隣接して配置された柵間にそれぞれ形成された空間は半径方向内部に、すなわち固定子の内部面で開放されている。この場合、それぞれの空間は柵の端部面間の領域で最小の大きさを有する。
【００１９】
本発明の好ましい実施例によれば、固定子の端部面間で軸方向に連続して延びるそれぞれの第２絶縁要素は軸方向に延び、半径方向で整列される第１長さ方向面  及び第２長さ方向面を含む。軸方向は回転子の回転軸及び長さ方向軸に相応する固定子の長さ方向軸の方向を意味する。軸方向に整列された端部面は長さ方向軸に対して垂直に整列された平面に配置される。
【００２０】
したがって、軸方向に延びる長さ方向面は長さ方向軸に対して平行した固定子の端部面間で延びる一方、半径方向整列は長さ方向軸に対する垂直を意味する。
【００２１】
それぞれの第２絶縁要素の第１長さ方向面は半径方向外部に整列されて、第１絶縁要素上の空間のベース面に連続して接触することが好ましい。第２絶縁要素の第２長さ方向面は半径方向内部に整列されて固定子コアの柵の端部面の領域で、前記空間を軸方向で閉鎖するように、第１絶縁要素に接触して配置されることが好ましい。
【００２２】
本発明の他の長所は、それぞれの第２絶縁要素が長さ方向に対して垂直である断面から見ると、第１長さ方向面の領域で、第１要部を両側で限定する、特に一定の幅の２つの第１柵を有するＵ型を有するということである。この場合、Ｕ型の閉鎖された面は第２長さ方向面の方向で整列される。
【００２３】
第１柵の端部面は第１長さ方向面全体にわたって第１絶縁要素に接触できる。この場合、第２絶縁要素の２つの第１柵は軸方向で第１絶縁要素に接触して第１空洞部を形成する。第１空洞部は好ましくは完全に閉鎖されてポッティング材料でポッティングされて形成されることができる。
【００２４】
第２絶縁要素は長さ方向に対して垂直である断面から見ると、第２長さ方向面の領域で、第２要部を両側で限定する、特に一定の幅の２つの第２柵を有するＹ型を有する。この場合、Ｙ型の閉鎖された面は第１長さ方向面の方向で整列される。
【００２５】
第２絶縁要素の第１長さ方向面及び第２長さ方向面は連結柵を通じて互いに連結される。
【００２６】
本発明の好ましい実施例によれば、第２絶縁要素の第２長さ方向面に対して整列されて配置された、第２柵の自由端部面にそれぞれ長さ方向で整列された溝が提供され、前記溝は好ましくはそれぞれ第２絶縁要素の全体長さにわたって延びる。
【００２７】
本発明の改善例によれば、少なくとも１つの第３絶縁要素は軸方向に延びるストラットを有する円筒形ケージの形状を有する。この場合、ストラットは第１及び第２端部でそれぞれ円周方向で閉鎖されたリングを通じて互いに連結される。リングは好ましくは軸方向に形成された壁を有する。ストラットは好ましくは円周に均一に離隔されて分布する。
【００２８】
本発明のさらなる好ましい実施例によれば、第３絶縁要素は第１部分要素及び第２部分要素と、２体型に形成される。この場合、部分要素はそれぞれ直線リング、及びリングから垂直に突出したストラットを含む。第１部分要素のストラット及び第２部分要素のストラットは好ましくはそれぞれ互いに整列されて配置された自由端部に互いに対応するロック装置を含み、前記ロック装置は噛み合う方式で互いに連結することができ、部分要素がストラットの自由端部で共に結合されることができる。
【００２９】
第３絶縁要素は好ましくはリングの領域で円周に均一に分布したリセスを含み、前記リセスはそれぞれリングの外部面に、そして好ましくは軸方向に配置されたストラットの延長部に提供される。
【００３０】
リセスはそれぞれ半径方向でリングの内部面に向かってテーパーされることが好ましい。この場合、リングの減少された壁の厚さから最大壁厚さへの転移領域にそれぞれ１つの肩部が提供される。
【００３１】
本発明の特別な長所は第２絶縁要素がそれぞれ第３絶縁要素のリセス及びストラット領域で第３絶縁要素に接触するということである。この場合、第２絶縁要素の第２長さ方向面は軸方向で第３絶縁要素のストラットに接触し、第２絶縁要素の第２柵の溝が第３絶縁要素のリングのリセスの肩部上で第３絶縁要素に接触して第２空洞部を形成する。第２絶縁要素の第２柵の溝と第３絶縁要素のリングのリセスの肩部は互いに対応する形状を有する。第２絶縁要素と第３絶縁要素間でそれぞれ第２絶縁要素の第２柵及び第３絶縁要素のストラットにより、そして第３絶縁要素のリングの領域でリセス上のリングの壁により形成された第２空洞部、すなわち結果的に第２絶縁要素の第２要部及び第３絶縁要素の関連リセスにより形成された第２空洞部は好ましくは完全に閉鎖される。
【００３２】
第２空洞部はポッティング材料でポッティングできる。すなわち、ポッティング材料で埋めることができる。
【００３３】
本発明の改善例によれば、第１絶縁要素は固定子の固定子コアと一体型で、そして形状嵌め込み方式で連結され、固定子コアと第１絶縁要素が固定子の統合型及び一体型部品を形成する。第１絶縁要素は固定子コアのオーバーモールディング部として固定子コアの外壁の内部面に接触するように形成されることができる。
【００３４】
本発明のさらなる好ましい実施例によれば、第１絶縁要素は少なくとも固定子の端部面で固定子コアを過ぎて突出する。固定子の端部面から軸方向に固定子コアから突出する絶縁要素の領域は好ましくはカバー要素に連結のために、特に成形部を有する、実質的にシリンダー型である壁として設計される。
【００３５】
この場合、絶縁要素の壁の外部面は円周方向に延びて窪み部として、特に溝として形成された少なくとも１つの成形部を含むことが好ましい。絶縁要素の壁内部の少なくとも１つの成形部は固定子の長さ方向軸に対して垂直に整列された平面に配置されることが好ましい。リ−ド線の接続ラインのセクションは好ましく絶縁要素の壁の外部面に接触するように、そして壁の円周方向に延びるように整列される。この場合、好ましくはリ−ド線の接続ラインの１つのセクションが絶縁要素の壁に形成された成形部内部に完全に統合されて配置される。完全な統合という表現はリ−ド線の全体直径が成形部内に埋め込まれている、成形部内にリ−ド線の接続ラインの配置を意味する。リ−ド線はどこにおいても成形部から突出しない。リ−ド線の最大直径は成形部の深さより小さいか、成形部の深さに相応する。
【００３６】
カバー要素の内部面は絶縁要素の壁内に形成されたそれぞれの成形部を覆うように配置されることが好ましい。
【００３７】
カバー要素は軸方向に整列された第１リング面、半径方向で整列されたリング面及び軸方向に整列された第２リング面を有する円周方向で閉鎖されたリングとして設計されることが好ましい。カバー要素は絶縁装置の絶縁要素と同様に好ましくは電気絶縁材料で形成される。したがって、固定子の第１絶縁要素に配置されたカバー要素も特に要求される絶縁距離を保障するように提供される。
【００３８】
カバー要素の外部半径に形成された、軸方向第１リング面とカバー要素の内部半径に形成された、軸方向第２リング面は好ましくは互いに平行するように整列され、半径方向リング面を通じて互いに連結される。
【００３９】
本発明の改善例によれば、カバー要素の軸方向に整列された第２リング面はそれぞれ１つの第２絶縁要素をホールディングするために円周にわたって均一に分布した収容要素を有する内壁として提供される。この場合、軸方向に整列された第２絶縁要素は収容要素の領域でカバー要素に連結されることができる。
【００４０】
収容要素は好ましくは軸方向に整列された第２リング面内部に開口として形成される。収容要素は軸方向に整列された第２リング面から半径方向内部に突出する第１壁及び１つの第２壁を含むことができる。
【００４１】
代案として、収容要素の開口は軸方向に整列された第２リング面から半径方向内部に突出する第１壁及び１つの第２壁を含むことができる。
【００４２】
本発明の好ましい実施例によれば、収容要素の壁はＵ型の断面を有する。この場合、第１壁は軸方向でＵ型のレグとして整列され、第２壁は第１壁を連結するようにカバー要素の円周方向で整列される。
【００４３】
収容要素の第１壁は好ましくは互いに円錘形に整列された肩部を有するＵ型の軸方向に開放された面の領域で収容要素の断面をＵ型の開放面に向かって拡大させるように形成される。
【００４４】
第２絶縁要素は好ましくは固定子の第１端部面に向け、そして軸方向に整列された第１長さ方向面に形成される領域で、それぞれ収容要素の壁により形成されたＵ型内に、又はカバー要素の内壁内に形成された開口内に突出するように配置される。
【００４５】
この場合、第２絶縁要素は収容要素の内部で好ましくは第１柵の外部面で収容要素の第１壁の内部面に面接触する。第２絶縁要素は収容要素内部に挿入され、特に弾性変形されて圧入される。
【００４６】
本発明の改善例によれば、第２絶縁要素は互いに隣接して配置されたコイル間に形成された空間が固定子コアの柵の端部面上において最小の大きさを有する領域で、それぞれ第２柵で第１絶縁要素に連結される。この場合、第２絶縁要素の第２柵の端部面に形成された溝はそれぞれ固定子コアの柵の長さ方向で整列されたエッジを囲むように配置されることが好ましい。
【００４７】
蒸気流体の圧縮機を駆動するための前述した駆動装置、特に電気モーターの絶縁装置を装着する方法において、
第２絶縁要素は柵の周りに形成された第１絶縁要素を有する固定子コアの互いに隣接して配置された２つの柵間に形成された空間内に配置される。この場合、第２絶縁要素の軸方向に整列された第１長さ方向面は半径方向外部に整列されて第１絶縁要素上の空間のベース面上に、そして第２長さ方向面は半径方向内部に整列されて固定子コアの柵の端部面の領域で、前記空間を軸方向で閉鎖するように、第１絶縁要素上に配置される。
【００４８】
好ましくは、カバー要素は固定子の端部面で固定子コアから突出した第１絶縁要素の領域に固定され、それぞれの第２絶縁要素の第１長さ方向面はカバー要素の収容要素内部に挿入、特に圧入されて、第２長さ方向面は第１絶縁要素と２つのスプリング−グルーブ型連結によりロックされる。したがって、第２絶縁要素は第１絶縁要素に固定される。
【００４９】
もう１つの長所は第２絶縁要素が軸方向でカバー要素の収容要素内に挿入されるということである。
【００５０】
また、好ましくはストラットを有する２体型に形成された第３絶縁要素の部分要素が軸方向で固定子の端部面を通じて固定子内に挿入される。この場合、部分要素はストラットの互いに整列された自由端部で互いに整列される。部分要素は例えば互いに対応するロック装置を含む、互いに整列された、前記ストラットの自由端部で互いに連結されることができる。この場合、第２絶縁要素及び第３絶縁要素はそれぞれ空洞部を限定する。
【００５１】
また、好ましくは第１絶縁要素とカバー要素により囲まれた部分及び／又はそれぞれの第２絶縁要素と第１絶縁要素間に形成された第１空洞部及び／又はそれぞれの第２絶縁要素と第３絶縁要素間に形成された第２空洞部はポッティング材料で埋められるか又はポッティングされる。
【００５２】
追加の接着剤としてポッティング材料による前記部分又は空洞部のポッティングにより、電流流れのための潜在的なギャップ及びそれにより漏洩電流のための可能な流れ経路を閉鎖するためのいわゆる接着結合が形成される。この場合、沿面距離を避けるために、それぞれの絶縁要素が互いに連結され、特に接着される。したがって、接着結合は接着剤、樹脂、エポキシ又は２つの電気伝導性部品間の電流流れを防ぐ他のポッティング材料のような適切な接着剤を用いて２つの材料を連結することを意味する。
【００５３】
本発明の好ましい実施例は自動車の空調システムの冷媒回路内の冷媒の圧縮機のために蒸気流体を圧縮するための圧縮機を駆動するための駆動装置、特に電気モーターの使用を可能にする。
【発明の効果】
【００５４】
ＩＥＣ／ＵＬ及びＤＩＮのような公知となった標準によって設計された、最小数の必須部品を有する蒸気流体の圧縮機を駆動するための本発明による駆動装置及び前記駆動装置の絶縁装置の装着方法は多様な長所を有する。
【００５５】
−特に最大１，０００Ｖの電圧レベルの自動車用空調システムの電気駆動圧縮機で、リ−ド線の可能な最高の電気絶縁で簡単な装着、特に電気モーターに対する一般的な要件及び既存仕様の充足、
−電圧レベルによって絶縁抵抗の増加及び必要空間の減少、
−電圧レベルによって必要な絶縁距離を確保してリ−ド線と他の電気伝導性、非活性部品間の短絡電流の発生を防止、
−低い絶縁抵抗により製造時における不良品減少及びそれによる最小コストの発生、及び
−圧縮機寿命の最大化。
【図面の簡単な説明】
【００５６】
本発明のもう１つの細部事項、特徴及び長所は関連図面を参照して行う実施例に関する以下の詳細な説明で示す。
【図１ａ】固定子コア、コイル、絶縁装置の第１絶縁要素、第２絶縁要素及び第３絶縁要素を含む蒸気流体の圧縮機を駆動するための駆動装置としての電気モーターの固定子を第１端部面の方向から見た斜視図である。
【図１ｂ】固定子コア、コイル、絶縁装置の第１絶縁要素、第２絶縁要素及び第３絶縁要素を含む蒸気流体の圧縮機を駆動するための駆動装置としての電気モーターの固定子を第２端部面の方向から見た斜視図である。
【図２】絶縁装置の部品としてカバー要素のない図１ａの固定子の第１端部面を詳細に示す斜視図である。
【図３】絶縁装置の第２及び第３絶縁要素のない固定子を示す斜視図である。
【図４ａ】絶縁装置の部品としてカバー要素を示す斜視図である。
【図４ｂ】カバー要素の収容要素を示す詳細図である。
【図５】収容要素内に配置された、絶縁装置の第２絶縁要素を備えるカバー要素を詳細に示す斜視図である。
【図６】個別要素として第２絶縁要素を示す斜視図である。
【図７ａ】固定子コア、コイル、絶縁装置のカバー要素及び絶縁要素を備える固定子を示す斜視断面図である。
【図７ｂ】絶縁装置の外部半径で第１及び第２絶縁要素の整列を詳細に示す平面図である。
【図８ａ】コイルに対する絶縁装置の第１及び第２絶縁要素の整列を示す平面図及び絶縁装置の内部半径で第１及び第２絶縁要素の連結を示す詳細図である。
【図８ｂ】コイルに対する絶縁装置の第１及び第２絶縁要素の整列を示す平面図及び絶縁装置の内部半径で第１及び第２絶縁要素の連結を示す詳細図である。
【図９ａ】組み立てられた状態で第１及び第２部分要素を備える第３絶縁要素を示す斜視図である。
【図９ｂ】組み立てられた状態で第１及び第２部分要素を備える第３絶縁要素を示す斜視図である。
【図９ｃ】組み立てられた状態で第１及び第２部分要素を備える第３絶縁要素を示す斜視図である。
【図１０ａ】第３絶縁要素の端部面の詳細図として第３絶縁要素上に第２絶縁要素の配置を示す斜視図である。
【図１０ｂ】絶縁装置の内部半径で第２及び第３絶縁要素の連結を詳細に示す平面図である。
【図１０ｃ】コイルに対する絶縁装置のカバー要素と第１、第２及び第３絶縁要素の整列を詳細に示す斜視図である。
【図１０ｄ】コイルに対する収容要素を備えるカバー要素と絶縁装置の第２及び第３絶縁要素の配置を示す固定子の第１端部面の斜視図である。
【図１０ｅ】絶縁装置の第１及び第２絶縁要素の配置を示す固定子の第２端部面の斜視図である。
【図１１ａ】固定子コア、コイル、絶縁装置の第１絶縁要素、第２絶縁要素及び第３絶縁要素を含む蒸気流体の圧縮機を駆動するための駆動装置としての電気モーターの固定子を第１端部面の方向及び第２端部面の方向から見た斜視図である。
【図１１ｂ】固定子コア、コイル、絶縁装置の第１絶縁要素、第２絶縁要素及び第３絶縁要素を含む蒸気流体の圧縮機を駆動するための駆動装置としての電気モーターの固定子を第２端部面の方向から見た斜視図である。
【図１２】絶縁装置の部品としてカバー要素のない図１ａの固定子の第１端部面を詳細に示す斜視図である。
【図１３】絶縁装置の第２及び第３絶縁要素のない固定子を示す斜視図である。
【図１４ａ】絶縁装置の部品としてカバー要素を示す斜視図である。
【図１４ｂ】カバー要素の収容要素を示す詳細図である。
【図１５】収容要素内に配置された、絶縁装置の第２絶縁要素を備えるカバー要素を詳細に示す斜視図である。
【図１６】個別要素として第２絶縁要素を示す斜視図である。
【図１７ａ】固定子コア、コイル、絶縁装置のカバー要素及び絶縁要素を備える固定子を示す斜視断面図である。
【図１７ｂ】絶縁装置の外部半径で第１及び第２絶縁要素の整列を詳細に示す平面図である。
【図１８ａ】コイルに対する絶縁装置の第１及び第２絶縁要素の整列を示す平面図及び絶縁装置の内部半径で第１及び第２絶縁要素の連結を示す詳細図である。
【図１８ｂ】コイルに対する絶縁装置の第１及び第２絶縁要素の整列を示す平面図及び絶縁装置の内部半径で第１及び第２絶縁要素の連結を示す詳細図である。
【図１９ａ】組み立てられた状態で第１及び第２部分要素を備える第３絶縁要素を示す斜視図である。
【図１９ｂ】組み立てられた状態で第１及び第２部分要素を備える第３絶縁要素を示す斜視図である。
【図１９ｃ】組み立てられた状態で第１及び第２部分要素を備える第３絶縁要素を示す斜視図である。
【図２０ａ】第３絶縁要素の端部面の詳細図として第３絶縁要素上に第２絶縁要素の配置を示す斜視図である。
【図２０ｂ】絶縁装置の内部半径で第２及び第３絶縁要素の連結を詳細に示す平面図である。
【図２０ｃ】コイルに対する絶縁装置のカバー要素と第１、第２及び第３絶縁要素の整列を詳細に示す斜視図である。
【図２０ｄ】コイルに対する収容要素を備えるカバー要素と絶縁装置の第２及び第３絶縁要素の配置を示す固定子の第１端部面の斜視図である。
【図２０ｅ】絶縁装置の第１及び第２絶縁要素の配置を示す固定子の第２端部面の斜視図である。
【発明を実施するための形態】
【００５７】
図１ａ及び図１ｂ、図１１ａ及び１１ｂには、冷媒回路を通じて冷媒を送出するための、特に自動車の空調システム用蒸気流体の圧縮機を駆動するための駆動装置としての電気モーターの固定子（１、１’）を第１端部面（７）の方向（図１ａ、１１ａ）及び第２端部面（８）の方向（図１ｂ、１１ｂ）でそれぞれ斜視図により図示している。固定子（１、１’）は固定子コア（２）、コイル（３）、絶縁装置の第１絶縁要素（４）、第２絶縁要素（１０、１０’）及び第３絶縁要素（１１、１１’）を含む。
【００５８】
電気モーター、例えば３相交流モーターは図示しない回転子、及び前記回転子の外部面に半径方向で、それにより前記回転子の周りに配置された固定子コア（２）を含む。好ましくは積層されたコアとして形成された固定子コア（２）及び電気絶縁材料でそれぞれ形成された絶縁要素（４、１０、１０’、１１、１１’）はそれぞれ固定子（１、１’）の長さ方向軸及び回転子の回転軸に相応する長さ方向軸（５）に沿って固定子の第１端部面（７）から第２端部面（８）に延びる。第１絶縁要素（４）は好ましくは固定子コア（２）のオーバーモールディング部として、一体型部品として形成される。
【００５９】
コイル（３）はそれぞれ固定子コア（２）の半径方向内部に延びる領域の周りに巻き取られているワイヤー、特にリ−ド線（９）ともいう電気導体として、塗装された銅線により形成される。リ−ド線（９）の巻き取られていない端部は接続ライン又は磁気的に非活性である部分としてそれぞれの巻き線の外に案内される。同一の相のコイル（３）を接続及び連結するための連結ラインとして用いられる接続ラインはコイル（３）の領域でリ−ド線（９）と同様に接続ラインの第１部分として単に塗装されて形成される一方、電気モーターの接続部との電気的連結のために構成され、接続ラインの第２部分は追加で好ましくはプラスチックで被覆されて絶縁されることができる。
【００６０】
固定子コア（２）の半径方向内部に延びる領域はそれぞれ柵の形状を有し、固定子コア（２）の外壁の円周にわたって均一に分布する。コイル（３）のリ−ド線（９）と固定子コア（２）のそれぞれの領域間には固定子コア（２）とコイル（３）のリ−ド線（９）を電気絶縁させる第１絶縁要素（４）が配置される。第１絶縁要素（４）はそれぞれ柵の内部に及び軸方向に整列された端部から軸方向に拡張されて形成される。第１絶縁要素（４）の上記方式で突出した端部セクションは特に固定子コア（２）の柵の周りに巻き取られているコイル（３）のリ−ド線（９）を固定する役割をする。
【００６１】
柵の周りに形成された第１絶縁要素（４）及び前記第１絶縁要素（４）の周りに巻き取られてコイル（３）を形成するリ−ド線（９）を備えて固定子コア（２）の外壁の円周に互いに隣接して分布した２つの柵間にそれぞれ空間が溝又はギャップ又はスロットの形状に形成され、前記空間は固定子（１、１’）の端部面（７、８）にそして半径方向内部に開放されている。
【００６２】
柵は柵の端部面の領域を除いては半径方向で実質的に一定の断面積を有する、柵の周りに円周方向で配置された第１絶縁要素（４）を含むので、間の空間は半径方向内部にテーパーされる。柵は端部面の領域で例えば固定子コア（２）の外壁の領域でより大きい断面積を有する。したがって、間の空間は柵の端部面の間の領域で最小の大きさを有する。間の空間の断面積は軸方向で一定である。
【００６３】
第１絶縁要素（４）はコイル（３）と固定子コア（２）間に、特に柵の端部面を除いた固定子コア（２）の全体内部形状の周囲に形成される。したがって、半径方向内部に整列され、そして絶縁要素（４）により覆われていない、固定子コア（２）の柵の端部面がコイル（３）のリ−ド線（９）に電気的に連結されない。
【００６４】
間の空間内部に、それにより固定子コア（２）に円周方向で隣接して配置された、巻き取られてコイルを形成する、リ−ド線（９）の磁気的に活性である部分間に、それぞれ１つの第２絶縁要素（１０、１０’）が提供される。第２絶縁要素（１０、１０’）は固定子（１）の端部面（７、８）間から軸方向に連続して延び、円周に並べて整列されたコイル（３）を互いに絶縁させる役割をする。
【００６５】
第２絶縁要素（１０、１０’）の軸方向に整列された第１長さ方向面は第１絶縁要素（４）上の間の空間のベース面に好ましくは連続して接触し、前記第１長さ方向面に対して平行するように整列され、第２絶縁要素（１０、１０’）の第２長さ方向面は半径方向内部に向かって、固定子コア（２）の柵の端部面の領域で、柵又はコイル（３）間に形成された間の空間を軸方向で閉鎖するように第１絶縁要素（４）に接触する。コイル（３）を有する柵を過ぎて軸方向で突出する領域で、第２絶縁要素（１０、１０’）はそれぞれ第３絶縁要素（１１、１１’）に接触する。
【００６６】
第３絶縁要素（１１、１１’）は軸方向に延びるストラットを有する丸いケージの形状を有し、前記ストラットは第１及び第２端部でそれぞれ閉鎖されたリングを通じて互いに連結される。軸方向に整列されたストラットは第２絶縁要素（１０、１０’）と関連して、一方では柵の半径方向内部に向かった端部面の領域で、柵又はコイル（３）間に形成された第１絶縁要素（４）の空間を閉鎖するために用いられる。他方では、それぞれの第２絶縁要素（１０、１０’）と第３絶縁要素（１１、１１’）間にそれぞれ円周方向で閉鎖されたギャップ又は空洞部が形成される。第３絶縁要素（１１、１１’）の端部面に配置されたリングはコイル（３）を有する柵を過ぎて軸方向で突出した領域でも固定子（１、１’）の閉鎖された内部面を形成するように提供される。
【００６７】
好ましくは固定子コア（２）の電気絶縁オーバーモールディング部として形成された、そして外部ジャケット面で半径方向で固定子コア（２）の外壁の内部面に接触する第１絶縁要素（４）は固定子コア（２）の絶縁される全体表面を覆う。また、第１絶縁要素（４）の壁は固定子（１、１’）の端部面（７、８）から軸方向にそれぞれ固定子コア（２）を過ぎて突出する。固定子コア（２）から突出した、第１絶縁要素（４）の領域（４ｂ）はそれぞれ成形部を有する実質的に中空円筒形の壁として形成され、前記壁は軸方向に配置される。
【００６８】
図１ａ、１１ａによれば、環形カバー要素（６）が固定子（１、１’）の第１端部面（７）上に配置され、前記カバー要素（６）は固定子（１、１’）の装着状態から軸方向に固定子（１、１’）に、特に第１絶縁要素（４）に完全に接触する。第１端部面（７）で固定子コア（２）を過ぎて突出した、第１絶縁要素（４）の図示しない第１領域は装着状態でカバー要素（６）によりカバーされる。カバー要素（６）は軸方向に整列された実質的にシリンダー型、特に中空シリンダー型、特に中空円筒形及び円周方向で閉鎖されたリングとして形成される。
【００６９】
図２、１２には、絶縁装置の部品としてカバー要素（６）を省略した図１ａ、１１ａの固定子（１、１’）の第１端部面（７）を斜視図で詳細に図示している。
【００７０】
コイル（３）の巻き線間に連結ラインとして延びる、リ−ド線（９）の磁気的に非活性である、巻き取られていない部分は固定子コア（２）を過ぎて突出する第１絶縁要素（４）の第１領域（４ａ）に円周方向に延びて溝として互いに平行するように延びる、収容領域ともいう成形部内に統合される。また、電気モーターの接続部、特にプラグハウジングに対する連結部として又はインバータに対する電気的連結部であるコネクターとして形成された、リ−ド線（９）の磁気的に非活性である部分が前記成形部内部に配置することができる。したがって、リ−ド線（９）の部分が案内されて、互いに、巻き取られてコイル（３）を形成する部分に対してそして他の電気伝導性部品に対して絶縁される。成形部はそれぞれ固定子（１、１’）の軸方向に対して垂直に整列された平面に形成される。
【００７１】
電気モーターの電圧レベルによって、リ−ド線（９）とハウジングのような電気モーターの他の電気導電性金属部品又は圧縮機の部品間に、絶縁距離ともいう適切な距離が維持されることによって、例えばリ−ド線（９）自体とそれに隣接するように配置された電気伝導性部品間の短絡又はフラッシュオーバーが防止できる。第１絶縁要素（４）、第２絶縁要素（１０、１０’）、第３絶縁要素（１１、１１’）及びカバー要素（６）を備える絶縁装置を提供することによって、絶縁距離が相当増加し、短絡又はフラッシュオーバーのリスクが減る。
【００７２】
図３、１３には、絶縁装置の第２絶縁要素（１０、１０’）、第３絶縁要素（１１、１１’）、カバー要素（６）を省略した固定子（１、１’）を第１端部面（７）から見た斜視図で図示している。リ−ド線（９）の磁気的に非活性である部分を有する、固定子（１、１’）の第１端部面（７）で固定子コア（２）から突出した、第１絶縁要素（４）の第１領域（４ａ）は接続リングともいう。
【００７３】
コイルセパレーター又はコイル分離器ともいう、図示しない第２絶縁要素（１０、１０’）の使用により、隣接した２つのコイル（３）間のエアーギャップは例えば１０ｍｍ以上に増加する。また、エポキシ樹脂又は適した接着剤のようなポッティング材料（１２）の使用により、沿面距離を例えば少なくとも１４ｍｍに増加させるためのいわゆる接着又はポッティング結合が形成され、絶縁に対するあらゆる要件が満たされる。したがって、完全に臨界的な領域のポッティングは十分な沿面距離を保障するもう１つの方法である。この場合、図示しないカバー要素（６）は接続リングの保護と共に相違する相のリ−ド線（９）を互いに分離するポッティング材料（１２）用モールドとしての役割をする。リ−ド線（９）が互いに非常に小さな距離を置いて配置されるので、必要な沿面距離及びエアーギャップは固定子コア（２）から突出する、第１絶縁要素（４）の第１領域（４ａ）の壁とカバー要素（６）の内部面間に形成された空洞部全体を埋め込まれたリ−ド線（９）を含むポッティング材料（１２）でポッティングすることによって保障される。リ−ド線案内部品を含む接続リングは固定子コア（２）から突出する、第１絶縁要素（４）の第１領域（４ａ）の壁とカバー要素（６）の内部面間に形成された空洞部を埋めることによって又は事前にポッティング材料（１２）によって絶縁される。したがって、例えば最大１，０００Ｖの超高圧アプリケーションに対する要件を満たす絶縁システムが提供される。
【００７４】
固定子（１、１’）の第１端部面（７）で固定子コア（２）から突出する第１絶縁要素（４）の第１領域（４ａ）をカバー要素（６）とポッティング材料（１２）によりカバーすることによって、電気モーターのハウジング内部に流れる流体としての冷媒に対する接続リングに配置されたリ−ド線（９）の完全な気密密封及びリ−ド線（９）自体間の完全な気密密封が達成される。
【００７５】
図４ａ及び４ｂ、１４ａ、１４ｂはそれぞれ絶縁装置の部品としてカバー要素（６）を斜視図で図示する。図４ｂ、１４ｂには特に第２絶縁要素（１０、１０’）用カバー要素（６）の収容要素（１３、１３’）を詳細に図示している。
【００７６】
円周方向で閉鎖されたリングとして形成されたカバー要素（６）は軸方向に整列された第１リング面（６ａ）、半径方向で整列されたリング面（６ｂ）及び軸方向に整列された第２リング面（６ｃ）を含む。カバー要素（６）の外部半径に形成された軸方向第１リング面（６ａ）及びカバー要素（６）の内部半径に形成された軸方向第２リング面（６ｃ）は互いに平行するように整列され、半径方向リング面（６ｂ）を通じて互いに連結される。長さ方向軸（５）に対して垂直に整列された平面に配置された半径方向リング面（６ｂ）は軸方向リング面（６ａ、６ｃ）を互いに連結し、カバー要素（６）はリング輪郭の断面から見る時に好ましくは相違するレグ（ｌｅｇ）長さを有するＵ型を有する。軸方向第１リング面（６ａ）は内壁（６ｃ）としての軸方向第２リング面（６ｃ）より軸方向でさらに大きい大きさを有する外壁（６ａ）として形成される。半径方向リング面（６ｂ）は軸方向リング面（６ａ、６ｃ）をそれぞれ端部面で互いに連結する。
【００７７】
リング面（６ａ、６ｂ、６ｃ）間に形成された部分は固定子コア（２）から突出した第１絶縁要素（４）の第１領域（４ａ）、すなわち接続リングをその上に配置されたリ−ド線（９）と共に収容する役割をし、ポッティング材料（１２）を収容するためのモールドとして用いられる。
【００７８】
完全に閉鎖された外壁（６ａ）と比較すれば、内壁（６ｃ）は円周にわたって均一に分布した開口、特に第２絶縁要素（１０、１０’）をホールディングする収容要素（１３、１３’）を含む。この場合、それぞれの収容要素（１３、１３’）はコイル（３）間に形成された空間内に配置された第２絶縁要素（１０、１０’）を収容する役割をする。
【００７９】
内壁（６ｃ）内部に形成された開口は内壁（６ｃ）から半径方向内部に突出する第１壁（１３ａ、１３ａ’）及び第２壁（１３ｂ、１３ｂ’）で補強され、前記壁はＵ型の断面を有する。この場合、２つの第１壁（１３ａ、１３ａ’）はＵ型のレグとして軸方向に整列される一方、第２壁（１３ｂ、１３ｂ’）は第１壁（１３ａ、１３ａ’）を連結するようにカバー要素（６）の円周方向で整列される。
【００８０】
図４ｂを参照すると、収容要素（１３）の第１壁（１３ａ）はＵ型の開放された面の領域で互いに円錘形に延びる肩部（１３ｃ）を含み、前記肩部（１３ｃ）は特に、固定子（１）の装着の間、第２絶縁要素（１０）を軸方向で収容要素（１３）内に挿入することを容易にするために、収容要素（１３）の断面がＵ型の開放面に向かって拡大されるように整列される。
【００８１】
図１４ｂを参照すると、２つ目の実行例に、収容要素（１３’）の第１壁（１３ａ’）と第２壁（１３ｂ’）はＵ型の開放された面の領域で互いに円錘形に延びる肩部（１３ｃ’）を含み、前記肩部（１３ｃ’）は特に、固定子（１’）の装着の間、第２絶縁要素（１０’）を軸方向で収容要素（１３’）内に挿入することを容易にするために、収容要素（１３）の断面がＵ型の開放面に向かって拡大されるように整列される。
【００８２】
図５、１５は収容要素（１３、１３’）内に配置された絶縁装置の第２絶縁要素（１０、１０’）を備える、固定子（１、１’）の第１端部面（７）上に配置されたカバー要素（６）を詳細に斜視図で図示する。
【００８３】
軸方向に整列された第２絶縁要素（１０、１０’）は収容要素（１３、１３’）の領域でカバー要素（６）に連結される。この場合、第２絶縁要素（１０、１０’）は固定子（１、１’）の第１端部面（７）に向かって軸方向に整列された第１長さ方向面（１０ａ、１０ａ’）に形成された領域でそれぞれ壁（１３ａ、１３ａ’、１３ｂ、１３ｂ’）により形成されたＵ型内にそしてカバー要素（６）の内壁（６ｃ）に形成された開口内に突出する。
【００８４】
第２絶縁要素（１０、１０’）は装着過程の間、軸方向でカバー要素（６）の収容要素（１３、１３’）内に挿入される。
【００８５】
第２絶縁要素（１０、１０’）の第１長さ方向面（１０ａ、１０ａ’）が半径方向外部に向かって配置される一方、第２絶縁要素（１０、１０’）の軸方向に整列された第２長さ方向面（１０ｂ、１０ｂ’）は半径方向内部に向かって配置される。
【００８６】
図６、１６には第２絶縁要素（１０、１０’）を個別要素として斜視図で図示している。第２絶縁要素（１０、１０’）は互いに平行するように整列された２つの長さ方向面（１０ａ、１０ａ’、１０ｂ、１０ｂ’）及び同様に互いに平行するように整列された狭い面により限定され、前記狭い面は長さ方向面（１０ａ、１０ａ’、１０ｂ、１０ｂ’）を互いに連結するように形成される。狭い面は装着状態で固定子（１、１’）の端部面（７、８）に配置される。
【００８７】
図６の長さ方向に対して垂直である断面において、第２絶縁要素（１０）は第１長さ方向面（１０ａ）の領域で、第１要部（１０ｄ）を両側で限定する一定の幅の２つの第１柵（１０ｃ）を有するＵ型、特にレンチの形状を有する。第１長さ方向面（１０ａ）の方向で開放された第１要部（１０ｄ）は長方形、特に正方形の断面に形成される。Ｕ型の閉鎖された面は第２長さ方向面（１０ｂ）の方向で整列される。第２絶縁要素（１０）の第１長さ方向面（１０ａ）及び第２長さ方向面（１０ｂ）は連結柵を通じて互いに連結される。
【００８８】
第２長さ方向面（１０ｂ）の領域で、長さ方向に対して垂直である第２絶縁要素（１０）の断面は第２要部（１０ｆ）を両側で限定する一定の幅の第２柵（１０ｅ）を有するＹ型に形成される。第２長さ方向面（１０ｂ）の方向で開放された第２要部（１０ｄ）は三角形、特に二等辺三角形、特に正三角形の断面に形成される。Ｙ型の閉鎖された面は第１長さ方向面（１０ａ）の方向で整列される。第２長さ方向面（１０ｂ）に向かって配置された、第２柵（１０ｅ）の自由端部面にはそれぞれ長さ方向で整列された溝（１０ｇ）が提供される。
【００８９】
図１６の第２実施例によれば、長さ方向に対して垂直である断面において、第２絶縁要素（１０’）は長さ方向面（１０ａ’、１０ｂ’）の領域で、それぞれ１つの要部（１０ｄ’、１０ｆ’）を両側で限定する一定の幅の２つの第１柵（１０ｃ’）及び一定の幅の２つの第２柵（１０ｅ’）を有するＵ型、特にレンチの形状を有する。第１長さ方向面（１０ａ’）の方向で開放された第１要部（１０ｄ’）及び第２長さ方向面（１０ｂ’）の方向で開放された第２要部（１０ｆ’）はそれぞれ長方形、特に正方形の断面に形成される。第１長さ方向面（１０ａ’）のＵ型の閉鎖された面は第２長さ方向面（１０ｂ’）の方向で整列される一方、第２長さ方向面（１０ｂ’）のＵ型の閉鎖された面は第１長さ方向面（１０ａ’）の方向で整列される。第２絶縁要素（１０’）の第１長さ方向面（１０ａ’）及び第２長さ方向面（１０ｂ’）は連結柵（１０ｅ’）を通じて互いに連結される。
【００９０】
第２絶縁要素（１０、１０’）の長さ方向断面は一定の面積を有する。
図７ａ、１７ａは固定子コア（２）、コイル（３）、第１端部面（７）に配置された、好ましくは絶縁材料で射出成形要素として形成されたカバー要素（６）、及び絶縁装置の絶縁要素（１０、１０’、１１、１１’）を備える固定子（１、１’）を斜視断面図で図示する。図７ｂ、１７ｂは固定子（１、１’）の第２端部面（８）の詳細図で絶縁装置の外部半径で第１絶縁要素（４）と第２絶縁要素（１０、１０’）の整列を平面図で図示する。
【００９１】
特に図７ａ、１７ａに図示するように、カバー要素（６）は固定子コア（２）から突出した第１絶縁要素（４）の第１領域（４ａ）を囲むように配置される。この場合、カバー要素（６）の外壁（６ａ）の内部面は固定子コア（２）から突出する、第１絶縁要素（４）の第１領域（４ａ）の壁の外部ジャケット面の方向で整列されて配置される。第１絶縁要素（４）の壁の外径はカバー要素（６）の外壁（６ａ）の内部面の直径と第１絶縁要素（４）上にカバー要素（６）を装着してポッティング材料（１２）を収容するためのギャップを足した値に実質的に相応する。カバー要素（６）の外壁（６ａ）の外部面は図示しないハウジングの方向で整列される。
【００９２】
環形カバー要素（６）の外壁（６ａ）の内部面は固定子コア（２）から突出した、第１絶縁要素（４）の第１領域（４ａ）の壁に円周方向に延びて溝として形成された収容領域を閉鎖するように、又は覆うように配置されて、前記収容領域内にリ−ド線（９）が統合される。カバー要素（６）が第１絶縁要素（４）と同様に電気絶縁部品であるため、絶縁要素（４）内に形成されてカバー要素（６）により閉鎖された成形部内に配置されたリ−ド線（９）が電気絶縁体により完全に囲まれる。固定子コア（２）から突出した第１絶縁要素（４）の第１領域（４ａ）の壁及びカバー要素（６）の外壁（６ａ）により実質的に囲まれた、リ−ド線（９）を含む部分はポッティング材料（１２）で埋められるので、第１絶縁要素（１０、１０’）及びカバー要素（６）は堅く、そして解除しないように互いに連結される。
【００９３】
環形カバー要素（６）の半径方向リング面（６ｂ）は固定子コア（２）から突出する、第１絶縁要素（４）の第１領域（４ａ）の自由端部面の方向で整列されて配置される一方、カバー要素（６）の内壁（６ｃ）は外部面に固定子コア（２）から突出する第１領域（４ａ）の壁の内部ジャケット面に接触する。
【００９４】
第２絶縁要素（１０、１０’）はカバー要素（６）の内壁（６ｃ）に形成された収容領域（１３、１３’）内部にホールディングされ、それぞれ隣接した２つのコイル（３）間に配置されて固定子（１、１’）の端部面（７、８）間から長さ方向で延びる。コイル（３）はそれぞれ固定子コア（２）の半径方向内部に形成された柵の周りに巻き取られたリ−ド線（２８）のセクションで形成される。固定子コア（２）の柵の半径方向内部に整列された端部面は大きなセクションで絶縁されず、特に第１絶縁要素（４）により覆われない。
【００９５】
固定子コア（２）の柵間及びそれによりコイル（３）間にある空間（１４）は柵の端部面の間に最小の大きさを有する領域で第２絶縁要素（１０、１０’）又は第３絶縁要素（１１、１１’）により閉鎖される。第１及び第２端部でそれぞれ閉鎖されたリング（１１ｂ）を通じて互いに連結される、軸方向に延びるストラット（１１ａ）を有する丸いケージ形状を有する第３絶縁要素（１１、１１’）により、固定子（１、１’）の半径方向を向かう内部面が完全に閉鎖される。この場合、固定子コア（２）の柵間に形成された空間（１４）は柵の端部面上で最小の大きさを有する領域から軸方向にストラット（１１ａ）により閉鎖される一方、第３絶縁要素（１１、１１’）のリング（１１ｂ）は空間（１４）を固定子（１、１’）の端部面（７、８）の領域から円周方向で閉鎖する。
【００９６】
特に図７ｂ、１７ｂから分かるように、隣接したコイル（３）間に配置された第２絶縁要素（１０、１０’）はカバー要素（６）の収容要素（１３、１３’）内部で第１柵（１０ｃ、１０ｃ’）の外部面で収容要素（１３、１３’）の第１壁（１３ａ、１３ａ’）の内部面に面接触し、第１柵（１０ｃ、１０ｃ’）の端部面は第１長さ方向面（１０ａ、１０ａ’）全体にわたって第１空洞部（１５）を形成するように第１絶縁要素（４）に接触する。第１柵（１０ｃ、１０ｃ’）間に形成された第１要部（１０ｄ、１０ｄ’）は第１柵（１０ｃ、１０ｃ’）が固定子（１、１’）の円周方向で共に圧縮できるようにして、第２絶縁要素（１０、１０’）が収容要素（１３、１３’）の内部に、特に収容要素（１３、１３’）の第１壁（１３ａ、１３ａ’）間に挿入されて、特に弾性変形されて圧入される。
【００９７】
第１絶縁要素（４）と第２絶縁要素（１０、１０’）間の第１空洞部（１５）はそれぞれ第２絶縁要素（１０、１０’）の第１柵（１０ｃ、１０ｃ’）及び第１絶縁要素（４）により限定される。したがって、第２絶縁要素（１０、１０’）の第１要部（１０ｄ、１０ｄ’）により形成される、軸方向に延びる第１空洞部（１５）が完全に閉鎖されて固定子（１、１’）の第２端部面（８）の方向で整列された端部においてのみ開放される。固定子（１、１’）の第１端部面（７）の方向で整列された端部で、第１空洞部（１５）はカバー要素（６）、特に収容要素（１３、１３’）の第２壁（（１３ｂ、１３ｂ’）により限定される。
【００９８】
第１空洞部（１５）は適切なポッティング材料（１２）で埋められることができる。
【００９９】
図８ａ、及び図８ｂ、１８ａ、１８ｂはそれぞれコイル（３）に対する絶縁装置の第１絶縁要素（４）と第２絶縁要素（１０、１０’）の整列を平面図に、そして絶縁装置の内部半径で第１絶縁要素（４）と第２絶縁要素（１０、１０’）間の連結（図８ｂ、１８ｂ）を詳細図で図示する。
【０１００】
第２絶縁要素（１０、１０’）は収容要素（１３、１３’）内部でカバー要素（６）にホールディングされて、図７ｂ、１７ｂを参照して既に説明したように、第１長さ方向面（１０ａ、１０ａ’）に第１絶縁要素（４）に接触する一方、第２絶縁要素（１０、１０’）の第２長さ方向面（１０ｂ、１０ｂ’）は固定子コア（２）の柵に接触して、上前記柵は接触領域で第１絶縁要素（４）によりカバーされる。この場合、第２絶縁要素（１０、１０’）は固定子コア（２）の柵の端部面上で空間（１４）の最小の大きさの領域において、それぞれ第２柵（１０ｅ、１０ｅ’）により第１絶縁要素（４）に連結される。
【０１０１】
図８ｂにおいて、第２柵（１０ｅ、１０ｅ’）は一定角度（α）、特に５０°乃至７０°、特に６０°の角度（α）で互いに整列される。
【０１０２】
第２柵（１０ｅ）の端部面上に形成された溝（１０ｇ）は固定子コア（２）の柵の長さ方向で整列されたエッジを囲むように配置されて、第２絶縁要素（１０）の第１長さ方向面（１０ａ）がカバー要素（６）の収容要素（１３）内部に挿入、特に圧入されて、第２長さ方向面（１０ｂ）は第１絶縁要素（４）と２つのスプリング−グルーブ型連結によりロックされる。したがって、第２絶縁要素（１０）は第１絶縁要素（４）に固定される。
【０１０３】
図１８ｂの第２実施例によって、固定子コア（２）の隣接した柵間に配置された第２絶縁要素（１０’）の第２柵（１０ｅ’）の外部面は固定子コア（２）の柵の内部面に面接触する。第２柵（１０ｅ’）間に形成された第２要部（１０ｆ’）は第２柵（１０ｅ’）が固定子（１’）の円周方向で共に圧縮できるようにして、第２絶縁要素（１０’）が固定子コア（２）の柵内部に、特に前記領域に形成された第１絶縁要素（４）間に、弾性変形されて圧入される。したがって、第２絶縁要素（１０’）は一方では第１長さ方向面（１０ａ’）でカバー要素（６）の収容要素（１３’）内部に、そして他方では第２長さ方向面（１０ｂ’）に沿って固定子コア（２）の柵間に挿入、特に圧入されて、第１絶縁要素（４）に連結される。第２絶縁要素（１０’）は長さ方向面（１０ａ’、１０ｂ’）に沿って第１絶縁要素（４）に固定される。
【０１０４】
空間（１４）内部で、特に収容要素（１３、１３’）内部で、そして第１絶縁要素（４）で十分なプレス嵌め込みをそれぞれ保障するために、第２絶縁要素（１０、１０’）はそれぞれ特定超過寸法を有する。それぞれのプレスは嵌め込みにより、第２絶縁要素（１０、１０’）が第１絶縁要素（４）上に配置された後に固定子（１、１’）又は電気モーター又は圧縮機の追加装着間そして圧縮機の作動の間、移動されないか又は提供された位置から変位されないことが保障される。
【０１０５】
隣接したコイル（３）間に形成された空間（１４）はそれぞれ第２絶縁要素（１０、１０’）により２つの別途の部分に細分される。
【０１０６】
図９ａ乃至図９ｃ、１９ａ、１９ｃはそれぞれ第１部分要素（１１ｃ）及び第２部分要素（１１ｄ）を有する第３絶縁要素（１１、１１’）を組み立てられた状態で（図９ａ及び図９ｃ、１９ａ、１９ｃ）及び分解された状態で（図９ｂ、１９ｂ）それぞれ斜視図により図示する。図９ｃには第３絶縁要素（１１）上に第２絶縁要素（１０）の配置を図示している。
【０１０７】
第１及び第２端部でそれぞれ閉鎖されたリング（１１ｂ）を通じて互いに連結された、長さ方向コネクター（１１ａ）ともいう、軸方向に延びるストラット（１１ａ）を有する丸いケージの形状を有する第３絶縁要素（１１、１１’）は固定子（１、１’）の内部面上に形成されて残っている貫通口を全体形状に示す。したがって、軸方向に整列された長さ方向コネクター（１１ａ）は第２絶縁要素（１０、１０’）と同様に柵又はコイル（３）間に形成された、固定子コア（２）の柵の半径方向内部に向かった端部面上の空間（１４）を閉鎖する役割をする。長さ方向コネクター（１１ａ）の末端に互いに整列された端部に配置されたリング（１１ｂ）は一方では回転子に対する固定子（１、１’）の内部面の閉鎖を完成する。他方では、長さ方向コネクター（１１ａ）はリング（１１ｂ）により所定の位置に維持される。
【０１０８】
第３絶縁要素（１１、１１’）の第１部分要素（１１ｃ）と第２部分要素（１１ｄ）は互いに相応して結合可能に形成される。この場合、ストラット（１１ａ）はそれぞれ互いに整列された自由端部に、噛み合う方式で互いに連結できるロック装置を含むことができる。
【０１０９】
第３絶縁要素（１１、１１’）はリング（１１ｂ）の領域にリセス（１１ｅ）を含み、前記リセス（１１ｅ）はリング（１１ｂ）の外部面上で円周に均一に分布する。リセス（１１ｅ）はそれぞれ長さ方向コネクター（１１ａ）の延長部に、実質的に長さ方向コネクター（１１ａ）の幅を有するように形成される。リング（１１ｂ）の外部面からリング（１１ｂ）の内部面の方向及び円周方向に延びるリセス（１１ｅ）は第３絶縁要素（１１、１１’）の壁の厚さの減少を意味する。リセス（１１ｅ）の領域で、リング（１１ｂ）の壁の厚さはそれぞれ半径方向で長さ方向コネクター（１１ａ）の壁の厚さに相応する。
【０１１０】
図９ｃによれば、リセス（１１ｅ）はまたリング（１１ｂ）の内部面の方向でテーパー化されて、リング（１１ｂ）の減少された壁の厚さから最大の壁の厚さへの転移領域にそれぞれ肩部（１１ｆ）を含む。
【０１１１】
図１０ａ、２０ａには第３絶縁要素（１１、１１’）の端部面の詳細図として第３絶縁要素（１１、１１’）上に第２絶縁要素（１０、１０’）の配置が斜視図で図示し、図１０ｂ、２０ｂには絶縁装置の内部半径で第２絶縁要素（１０、１０’）と第３絶縁要素（１１、１１’）の連結が詳細に平面図で図示し、図１０ｃ及び図１０ｄ、２０ｃ、２０ｄにはカバー要素（６）と第３絶縁要素（１１、１１’）間に第２絶縁要素（１０、１０’）の配置又はコイルに対する絶縁装置のカバー要素（６）、第１絶縁要素（４）、第２絶縁要素（１０、１０’）及び第３絶縁要素（１１、１１’）の整列が詳細な斜視図及び平面図で図示している。図１０ｄ、２０ｄには、コイル（３）として巻き取られたリ−ド線（９）に対する絶縁装置の第２絶縁要素（１０、１０’）及び第３絶縁要素（１１、１１’）、そして収容要素（１３、１３’）を備えるカバー要素（６）の配置が固定子（１、１’）の第１端部面（７）の平面図を図示している。図１０ｅ、２０ｅには、絶縁装置の第１絶縁要素（４）と第２絶縁要素（１０、１０’）の配置が固定子（１、１’）の第２端部面（８）の斜視図で詳細に図示している。
【０１１２】
図１０ａ〜１０ｅによれば、第２絶縁要素（１０）はそれぞれ第３絶縁要素（１１）上のリセス（１１ｅ）と長さ方向コネクター（１１ａ）の領域に配置される。この場合、第２絶縁要素（１０）の第２長さ方向面（１０ｂ）は軸方向で長さ方向コネクター（１１ａ）に接触し、第２絶縁要素（１０）の第２柵（１０ｅ）の溝（１０ｇ）は第３絶縁要素（１１）上のリング（１１ｂ）のリセス（１１ｅ）の肩部（１１ｆ）に、第２空洞部（１６）を形成するように接触する。第２柵（１０ｅ）の溝（１０ｇ）及びリング（１１ｂ）のリセス（１１ｅ）の肩部（１１ｆ）は互いに相応する形状を有する。
【０１１３】
図２０ａ〜２０ｅの第２実施例によれば、第２絶縁要素（１０’）はそれぞれ第３絶縁要素（１１’）上のリセス（１１ｅ）内部に、そして長さ方向コネクター（１１ａ）の領域に配置される。この場合、第２絶縁要素（１０’）の第２長さ方向面（１０ｂ’）は軸方向で長さ方向コネクター（１１ａ）に接触し、第２絶縁要素（１０’）の第２柵（１０ｅ’）の端部面は第３絶縁要素（１１’）上のリング（１１ｂ）のリセス（１１ｅ）のベース面に、第２空洞部（１６）を形成するように接触する。
【０１１４】
第２絶縁要素（１０、１０’）と第３絶縁要素（１１、１１’）間の第２空洞部（１６）は第２絶縁要素（１０、１０’）の第２柵（１０ｅ、１０ｅ’）と長さ方向コネクター（１１ａ）により、そしてリング（１１ｂ）の領域ではリセス（１１ｅ）の領域内のリング（１１ｂ）の壁により限定される。したがって、第２絶縁要素（１０、１０’）の第２要部（１０ｆ、１０ｆ’）及び第３絶縁要素（１１、１１’）のリセス（１１ｅ）により形成された、軸方向に延びる第２空洞部（１６）は完全に閉鎖され、固定子（１、１’）の端部面（７、８）の方向で整列された端部においてのみ開放される。
【０１１５】
第２空洞部（１６）は適切なポッティング材料（１２）で埋められることができる。
【０１１６】
適切なエポキシ樹脂又は接着剤のようなポッティング材料（１２）で空洞部（１５、１６）をポッティングすれば、それぞれ隣接するように配置された部品間にそれぞれ１つの追加接着又はポッティング結合又は多数の追加接着又はポッティング結合が形成されて、特に電気伝導性要素間の沿面距離が最小で延びる。したがって、特に固定子コア（２）の柵の端部面内部でリ−ド線（９）の潜在的沿面領域の完全な気密密封が達成される。
【０１１７】
絶縁装置により、リ−ド線（９）、特にコイル（３）又は磁気的に非活性である部分と等しい電気伝導性要素間の、又は固定子コア（２）に対する、又は電気モーターのハウジングに対する、要求される絶縁距離及び絶縁抵抗が電圧レベルによって沿面距離を増加させることによって保障される。
【符号の説明】
【０１１８】
１、１’：固定子
２：固定子コア
３：コイル
４：第１絶縁要素
４ａ：第１領域
４ｂ：第２領域
５：長さ方向軸
６：カバー要素
６ａ：第１軸方向リング面、外壁
６ｂ：半径方向リング面
６ｃ：第２軸方向リング面、内壁
７：第１端部面
８：第２端部面
９：リ−ド線
１０、１０’：第２絶縁要素
１０ａ、１０ａ’：第２絶縁要素の第１長さ方向面
１０ｂ、１０ｂ’：第２絶縁要素の第２長さ方向面
１０ｃ、１０ｃ’：第２絶縁要素の第１柵
１０ｄ、１０ｄ’：第２絶縁要素の第１要部
１０ｅ、１０ｅ’：第２絶縁要素の第２柵
１０ｆ、１０ｆ’：第２絶縁要素の第２要部
１０ｇ：第２絶縁要素の溝
１１、１１’：第３絶縁要素
１１ａ：ストラット、第３絶縁要素の長さ方向コネクター
１１ｂ：第３絶縁要素のリング
１１ｃ：第３絶縁要素の第１部分要素
１１ｄ：第３絶縁要素の第２部分要素
１１ｅ：第３絶縁要素のリセス
１１ｆ：第３絶縁要素のリセスの肩部
１２：ポッティング材料
１３、１３’：収容要素
１３ａ、１３ａ’：収容要素の第１壁
１３ｂ、１３ｂ’：収容要素の第２壁
１３ｃ、１３ｃ’：第１壁の肩部
１４：空間
１５：第１空洞部
１６：第２空洞部
【図１ａ】
2020188678.tif 000003
【図１ｂ】
2020188678.tif 000004
【図２】
2020188678.tif 000005
【図３】
2020188678.tif 000006
【図４ａ】
2020188678.tif 000007
【図４ｂ】
2020188678.tif 000008
【図５】
2020188678.tif 000009
【図６】
2020188678.tif 000010
【図７ａ】
2020188678.tif 000011
【図７ｂ】
2020188678.tif 000012
【図８ａ】
2020188678.tif 000013
【図８ｂ】
2020188678.tif 000014
【図９ａ】
2020188678.tif 000015
【図９ｂ】
2020188678.tif 000016
【図９ｃ】
2020188678.tif 000017
【図１０ａ】
2020188678.tif 000018
【図１０ｂ】
2020188678.tif 000019
【図１０ｃ】
2020188678.tif 000020
【図１０ｄ】
2020188678.tif 000021
【図１０ｅ】
2020188678.tif 000022
【図１１ａ】
2020188678.tif 000023
【図１１ｂ】
2020188678.tif 000024
【図１２】
2020188678.tif 000025
【図１３】
2020188678.tif 000026
【図１４ａ】
2020188678.tif 000027
【図１４ｂ】
2020188678.tif 000028
【図１５】
2020188678.tif 000029
【図１６】
2020188678.tif 000030
【図１７ａ】
2020188678.tif 000031
【図１７ｂ】
2020188678.tif 000032
【図１８ａ】
2020188678.tif 000033
【図１８ｂ】
2020188678.tif 000034
【図１９ａ】
2020188678.tif 000035
【図１９ｂ】
2020188678.tif 000036
【図１９ｃ】
2020188678.tif 000037
【図２０ａ】
2020188678.tif 000038
【図２０ｂ】
2020188678.tif 000039
【図２０ｃ】
2020188678.tif 000040
【図２０ｄ】
2020188678.tif 000041
【図２０ｅ】
2020188678.tif 000042